【手続補正書】
【提出日】平成17年5月10日(2005.5.10)
【手続補正１】
【補正対象書類名】特許請求の範囲
【補正対象項目名】請求項１
【補正方法】変更
【補正の内容】
【請求項１】
第１部材と第２部材とで形成されたフィルム移動チャネルであって、前記第１部材が第１および第２フィルムトラップレールを含み、前記第２部材が第１および第２フィルムゲートレールを含み、前記第１フィルムトラップレールと前記第１フィルムゲートレールとが互いに対向し、前記第２フィルムトラップレールと前記第２フィルムゲートレールとが互いに対向している当該フィルム移動チャネルを具え、
該フィルム移動チャネルは厚さｔおよび幅ｗを有し、ｔが映画フィルムの厚さより大で、ｗが前記映画フィルムの幅より大であり、
ｗがｔより大であり、
映画フィルムが前記フィルム移動チャネル内に配置されて該フィルム移動チャネルを自由に通過し、前記第１フィルムトラップレールと前記第１フィルムゲートレールとの空間および、前記第２フィルムトラップレールと前記第２フィルムゲートレールとの空間は、表面が接触しないようにされて、前記対向するレール間のフィルムが通過する部分が前記フィルムに対し十分なクリアランスを提供することで前記空間を自由に通過できるようにした、
映写機用のフィルムトラップ・ゲート装置。
【手続補正２】
【補正対象書類名】特許請求の範囲
【補正対象項目名】請求項１０
【補正方法】変更
【補正の内容】
【請求項１０】
イメージアパーチャが形成されるとともに、第１および第２レールアセンブリーが取り付けられているトラップ本体であって、
前記第１レールアセンブリーが第１トラップガイドと繋がる第１トラップレールを含み、
前記第２レールアセンブリーが第２トラップガイドと繋がる第２トラップレールを含む、
当該トラップ本体と、
イメージアパーチャが形成されるとともに、第１および第２レールアセンブリーが取り付けられているゲート本体であって、
前記第１レールアセンブリーが第１ゲートガイドと繋がる第１ゲートレールを含み、
前記第２レールアセンブリーが第２ゲートガイドと繋がる第２ゲートレールを含む、
当該ゲート本体と、を具え、
前記第１および第２フィルムトラップレールアセンブリーと、前記第１および前記ゲートレールアセンブリとは、前記第１トラップレールと前記第１ゲートレールとが互いに対向し、前記第２トラップレールと前記第２ゲートレールとが互いに対向するように配置され、さらに、
前記第１トラップレールと前記第１ゲートレールとの間および、前記第２トラップレールと前記第２ゲートレールとの間には、表面が接触しないようにされた空間があり、前記対向するレール間のフィルムが通過する部分が前記フィルムに対し十分なクリアランスを提供することで前記空間を自由に通過できるようにした、
映写機用のフィルムトラップ装置。
【手続補正３】
【補正対象書類名】特許請求の範囲
【補正対象項目名】請求項２３
【補正方法】変更
【補正の内容】
【請求項２３】
イメージアパーチャが形成されるとともに、第１および第２レールアセンブリーが取り付けられているゲート本体であって、
前記第１レールアセンブリーが第１ゲートガイドと繋がる第１ゲートレールを含み、
前記第２レールアセンブリーが第２ゲートガイドと繋がる第２ゲートレールを含む、
当該ゲート本体と、
該ゲート本体に取り付けられたフィルムテンショニング装置であって、
変形可能な本体と、
該変形可能な本体と繋がる少なくとも２つのテンショニングローラーと、
前記少なくとも２つのテンショニングローラーと繋がるテンショニング装置と、
を含む当該フィルムテンショニング装置と、
具えた映写機用のフィルムゲート装置。
【手続補正４】
【補正対象書類名】特許請求の範囲
【補正対象項目名】請求項２７
【補正方法】変更
【補正の内容】
【請求項２７】
イメージアパーチャが形成されるとともに、第１および第２レールアセンブリーが取り付けられているゲート本体を具え、
前記第１レールアセンブリーが第１ゲートガイドと繋がる第１ゲートレールを含み、
前記第２レールアセンブリーが第２ゲートガイドと繋がる第２ゲートレール、および深さ設定装置を含む、
映写機用のフィルムゲート装置。
【手続補正５】
【補正対象書類名】特許請求の範囲
【補正対象項目名】請求項２９
【補正方法】変更
【補正の内容】
【請求項２９】
変形可能な本体と、
該変形可能な本体と繋がる少なくとも２つのテンショニングローラーと、
該少なくとも２つのテンショニングローラーおよび前記変形可能な本体と繋がるテンショニング装置と、
を具えた映写機用のフィルムテンショニング装置。
【手続補正６】
【補正対象書類名】特許請求の範囲
【補正対象項目名】請求項４２
【補正方法】変更
【補正の内容】
【請求項４２】
イメージアパーチャが形成されるとともに第１および第２レールアセンブリーが取り付けられているトラップ本体を含むフィルムトラップと、
該トラップ本体に取り付け可能で、取り付けフランジと繋がる角度のあるストリッパーブレードを含むストリッパープレートと、
映写アパーチャが形成されるとともに第１および第２レールアセンブリーが配置されるゲート本体を含むフィルムゲートと、
前記ゲート本体に取り付け可能で、取り付け穴が形成されるとともにローラークレードルと繋がる変形可能な本体を含むフィルムテンショニング装置と、を具え、
該テンショニング装置は４つのテンショニングローラーおよびテンショニング装置に繋がり、該テンショニング装置がテンショニングねじに繋がり、前記テンショニング装置が前記ローラークレードルに与える張力は前記テンショニングねじを動かすことによって調整可能であり、更に、
前記フィルムトラップおよび前記フィルムゲートの間に配置されたフィルム移動チャネルであって、前記フィルムトラップが前記フィルムゲートに係合することで形成される当該フィルム移動チャネル、
を具えた映写機用フィルムトラップ・ゲート装置。
【手続補正７】
【補正対象書類名】特許請求の範囲
【補正対象項目名】請求項４７
【補正方法】変更
【補正の内容】
【請求項４７】
第１トラップガイドと結合されている第１トラップレールを含む第１トラップレールアセンブリーと、第２トラップガイドと結合されている第２トラップレールを含む第２トラップレールアセンブリーとを持つフィルムトラップと、
第１ゲートガイドと結合されている第１ゲートレールを含む第１ゲートレールアセンブリーと、第２ゲートガイドと結合されている第２ゲートレールを含む第２ゲートレールアセンブリーとを持つフィルムゲートと、を具え、
前記フィルムトラップレールの上に映画のフィルムが位置づけられるとともに、前記フィルムトラップレールアセンブリーが前記ゲートレールアセンブリーを受容し、
前記第１トラップレールと前記第１ゲートレールとの間および、前記第２トラップレールと前記第２ゲートレールとの間には、表面が接触しないようにされた空間があり、前記対向するレール間のフィルムが通過する部分が前記フィルムに対し十分なクリアランスを提供することで前記空間を自由に通過できるようにした、
映写機用のフィルムトラップ・ゲート装置。
【手続補正８】
【補正対象書類名】特許請求の範囲
【補正対象項目名】請求項４８
【補正方法】変更
【補正の内容】
【請求項４８】
映写機用のストリッパープレートを含み、
ストリッパーブレードと、
取り付けフランジと、を具え、
前記ストリッパーブレードが角度を持って付着フランジに取り付けられ、
前記取り付けフランジおよびストリッパーブレードが前記トラップに貼着されている、
請求項４７に記載の装置。
【手続補正９】
【補正対象書類名】特許請求の範囲
【補正対象項目名】請求項５７
【補正方法】変更
【補正の内容】
【請求項５７】
平坦な表面、該表面に形成されたイメージアパーチャを有するとともに、該イメージアパーチャのいずれかの側に対して配された第１および第２レールアセンブリを有するトラップ本体と、
該トラップ本体に取り付け可能なストリッパープレートとを具え、
該ストリッパープレートは前記トラップ本体の前記表面の端部と前記ストリッパープレートとの間に連続した接触面を有し、
前記トラップ本体および前記ストリッパープレートは概して垂直方向に並んでいる、
映写機用のフィルムトラップ装置。
【手続補正１０】
【補正対象書類名】特許請求の範囲
【補正対象項目名】請求項５８
【補正方法】変更
【補正の内容】
【請求項５８】
前記ストリッパープレートは取り付けフランジに取り付けられ、前記ストリッパープレートの表面が前記トラップ本体に対して少なくとも１度の角度をなしている請求項５７の装置。
【手続補正１１】
【補正対象書類名】明細書
【補正対象項目名】００１９
【補正方法】変更
【補正の内容】
【００１９】
図２を参照するに、映画フィルム１４は概して、第１ドライブトラック４２Ａと第２ドライブトラック４２Ｂとの間に位置づけられる画像領域４０を具えている。少なくとも１つのサウンドトラックがドライブトラック４４Ａおよび４４Ｂの付近に配置されている。図２に示すフィルム１４は４つのサウンドトラックを含み、フィルム１４を様々な映写システムやサウンドヘッドで使用することができる。図示のように、フィルムはＳＤＤＳデジタルサウンドトラック４４Ａおよび４４Ｂ、ＳＲＤデジタルサウンドトラック４６、アナログサウンドトラック４８および、ＤＴＳデジタルサウンドトラック５０を含む。
【手続補正１２】
【補正対象書類名】明細書
【補正対象項目名】００２４
【補正方法】変更
【補正の内容】
【００２４】
図８Ａから図８Ｃは本発明のストリッパープレートを示す種々の図である。ストリッパープレート７２は、取り付けフランジ９２と、これに一体のストリッパーブレード９４とを具える。図８Ｂに示すように、ストリッパーブレード９４はある角度をもって取り付けフランジ９２に取り付けられている。角度のある本発明のストリッパーブレード９４はフィルム１４がストリッパープレート７２のブレード部分９４と接触する可能性を減らし、それによりユーザは映写機１０を逆方向に操作できるようにする。
【手続補正１３】
【補正対象書類名】明細書
【補正対象項目名】００２９
【補正方法】変更
【補正の内容】
【００２９】
図１４Ａから図１４Ｃを参照するに、ゲート２８は深さ調整穴１４２の中に位置づけられる深さ調整装置１４０を具えている。深さ調整装置によって操作者は、フィルムトラップ２６（不図示）とフィルムゲート２８との間に十分なフィルムクリアランスが維持されることを確実にし、フィルム移動チャネルを形成することができる。操作者が深さ調整装置１４０を進ませて、フィルムゲート２８がフィルムトラップ２６上に配置されたときに深さ調整装置１４０がトラップ本体５８に接触するようにする。ここで、トラップレール６６Ａおよび６６Ｂとゲートレール１０６Ａおよび１０６Ｂとの間に十分なフィルムクリアランスが残る。図１４Ｂはフィルムトラップ２６の第１および第２トラップレール６６Ａおよび６６Ｂに配置されているフィルム１４を示す。フィルムゲート２８はその上に配置されている。図１４Ｃはフィルムトラップ２６と係合しているフィルムゲート２８を示す。図１４Ｃは、トラップレールアセンブリー６４とゲートレールアセンブリーとで形成されたフィルム移動チャネル１６８内に装着され、ノンバイアスでフィルム移動チャネル１６８を通過できるフィルム１４を示す。
【手続補正１４】
【補正対象書類名】明細書
【補正対象項目名】図１５
【補正方法】変更
【補正の内容】
【図１５】図１５Ａおよび図１５Ｂは、それぞれ、本発明の第２フィルムゲートレールアセンブリーの一実施形態および他の実施形態の斜視図である。
【手続補正１５】
【補正対象書類名】図面
【補正対象項目名】図１
【補正方法】変更
【補正の内容】
【図１】
2004526211.tif 000001
【手続補正１６】
【補正対象書類名】図面
【補正対象項目名】図２
【補正方法】変更
【補正の内容】
【図２】
2004526211.tif 000002
【手続補正１７】
【補正対象書類名】図面
【補正対象項目名】図５
【補正方法】変更
【補正の内容】
【図５】
2004526211.tif 000003
【手続補正１８】
【補正対象書類名】図面
【補正対象項目名】図６
【補正方法】変更
【補正の内容】
【図６】
2004526211.tif 000004
【手続補正１９】
【補正対象書類名】図面
【補正対象項目名】図１２
【補正方法】変更
【補正の内容】
【図１２】
2004526211.tif 000005
【手続補正２０】
【補正対象書類名】図面
【補正対象項目名】図１３Ａ
【補正方法】変更
【補正の内容】
【図１３Ａ】
2004526211.tif 000006
【手続補正２１】
【補正対象書類名】図面
【補正対象項目名】図１３Ｃ
【補正方法】変更
【補正の内容】
【図１３Ｃ】
2004526211.tif 000007
【手続補正２２】
【補正対象書類名】図面
【補正対象項目名】図１５
【補正方法】変更
【補正の内容】
【図１５】
2004526211.tif 000008